(57)【特許請求の範囲】
【請求項１】
検査されるべき対象（２０）に向けられるべきＸ線放射（Ｒ）を生成するためのＸ線放射源（１０）を有するＸ線装置であって、
該Ｘ線装置は、
光学デバイスであって、該光学デバイスを介して照準デバイスの光学軸が前記Ｘ線放射（Ｒ）と平行に前記検査されるべき対象（２０）に向けられる光学デバイス（１２）と、
前記光学デバイスを介して前記検査されるべき対象に向けられている可視パイロット放射（Ｐ）を生成する更なる光源（１１）を含む前記照準デバイスと、
前記Ｘ線放射源（１０）を含み、旋回或いは移動可能に構成されるＸ線ヘッド（２）における、前記Ｘ線放射（Ｒ）及び前記パイロット放射（Ｐ）のための出口領域であって、前記Ｘ線放射（Ｒ）及び前記パイロット放射（Ｐ）が透過可能に構成され、かつ、Ｘ線チューブの前端部を形成している出口領域（６）と、
を有し、
前記透過可能なＸ線チューブの出口領域（６）は取り外し可能であり、
前記出口領域（６）の取り外しの後に、前記Ｘ線チューブ内に設置されるチューブ延長部が提供され、
前記出口領域は、延長部の取り付けの後、前記チューブ延長部の前端部に再度設置される、
Ｘ線装置。
【請求項２】
前記光学デバイスは、前記Ｘ線放射（Ｒ）のビームパス内に配列されたビームスプリッタ（１２）によって形成される、
請求項１に記載のＸ線装置。
【請求項３】
前記ビームスプリッタ（１２）は、可視波長範囲の光については反射させるように作用し、前記Ｘ線放射（Ｒ）については透過させる、
請求項２に記載のＸ線装置。
【請求項４】
前記ビームスプリッタ（１２）は、アルミニウムで作られている、
請求項３に記載のＸ線装置。
【請求項５】
前記ビームスプリッタ（１２）はまた、固有の透過特性を実現する、
請求項１から４のいずれかに記載のＸ線装置。
【請求項６】
前記パイロット放射は、前記検査されるべき対象における光点（１６）として点状に投影され、
前記Ｘ線放射（Ｒ）及び前記パイロット放射（Ｐ）は相互に同軸状に向いている、
請求項１から５のいずれかに記載のＸ線装置。
【請求項７】
前記パイロット放射（Ｐ）は、前記検査されるべき対象におけるライン（１８）として投影され、
前記ライン（１８）は前記Ｘ線放射（Ｒ）の中心軸と交差する、
請求項１から５のいずれかに記載のＸ線装置。
【請求項８】
前記パイロット放射（Ｐ）は、水平に方向付けられたライン（１８）として映像化される、
請求項７に記載のＸ線装置。
【請求項９】
前記ライン（１８）は、前記Ｘ線放射源（１０）を含む前記Ｘ線ヘッド（２）の回転運動のための回転面を規定する、
請求項７または８に記載のＸ線装置。
【請求項１０】
複数の平行なラインが前記検査されるべき対象に投影される、
請求項７から９のいずれかに記載のＸ線装置。
【請求項１１】
前記ビームスプリッタ（１２）は、前記パイロット放射（Ｐ）の入射する点の領域においてドーム状をなしている或いは曲げられている、
請求項２から５および請求項７から１０のいずれかに記載のＸ線装置。
【請求項１２】
前記パイロット放射（Ｐ）は、実質的に円状或いは十字状のマークとして前記検査されるべき対象に投影され、
前記Ｘ線放射（Ｒ）と前記パイロット放射（Ｐ）とは互いに同軸に方向付けられている、
請求項１から５のいずれかに記載のＸ線装置。
【請求項１３】
前記Ｘ線放射（Ｒ）の検知のため及び患者（２０）の口の中での配列のために提供されるセンサ（１５）のためのホルダを有し、
当該ホルダは、整列デバイスの援助により、口の外側に配列された照準デバイスと規定された方法で接続され、
前記照準デバイスは前記パイロット放射（Ｐ）のための入射ポイントを示す照準マークを有する、
請求項１から１２のいずれかに記載のＸ線装置。
【請求項１４】
前記パイロット放射（Ｐ）は赤色である、
請求項１から１３のいずれかに記載のＸ線装置。
【請求項１５】
前記パイロット放射のための前記光源は、ＨｅＮｅレーザー（１２）或いはダイオードレーザーである、
請求項１４に記載のＸ線装置。
【請求項１６】
前記Ｘ線ヘッド（２）の前記透過な出口領域（６）は、プレキシガラス（登録商標）で形成されている、
請求項１から１５のいずれかに記載のＸ線装置。
【請求項１７】
前記パイロット放射（Ｐ）は、前記Ｘ線装置（１）および／または画像検出デバイスの操作状態を示す、
請求項１から１６のいずれかに記載のＸ線装置。
【請求項１８】
前記パイロット放射（Ｐ）は、前記Ｘ線装置（１）および／または前記画像検出したデバイスが使用できる状態になった場合にのみ活性化される、
請求項１７に記載のＸ線装置。
【請求項１９】
前記パイロット放射は、Ｘ線源の活性化の後、前記検査されるべき対象の姿勢のチェックまたは前記Ｘ線ヘッドの方向のチェックのため、活性化した状態を保つ、
請求項１から１８のいずれかに記載のＸ線装置。
【請求項２０】
当該Ｘ線装置は、前記パイロット放射（Ｐ）の入射領域を検出する光学観測システムを有する、
請求項１から１９のいずれかに記載のＸ線装置。
【請求項２１】
前記光学観測システムによって検知された、前記検査されるべき対象の表面における前記パイロット放射（Ｐ）の歪から、前記検査されるべき対象の間隔及び方位に関する情報が得られる、
請求項２０に記載のＸ線装置。
【請求項２２】
前記検査されるべき対象の前記間隔及び方位に関する情報を基に、前記Ｘ線放射源（１０）を含む前記Ｘ線ヘッド（２）の移動のためのプログラムパラメータが導き出される、  請求項２１に記載のＸ線装置。
【請求項２３】
前記光学デバイス（１２）は、前記Ｘ線ビームの軸において前記光学観測システムを指向させる、
請求項１から２２のいずれかに記載のＸ線装置。
【請求項２４】
前記観測システムは、カメラである、
請求項２３に記載のＸ線装置。
【請求項２５】
当該Ｘ線装置は、歯科用のＸ線装置である、
請求項１から請求項２４のいずれかに記載のＸ線装置。
【発明の詳細な説明】
【技術分野】
【０００１】
本発明は、Ｘ線装置、特に歯の診断に用いられるＸ線装置に関する。
【背景技術】
【０００２】
例えば、完全で正確な歯科医療のためには、歯科Ｘ線装置の使用が不可欠である。従って、歯科Ｘ線画像に基づいてのみ、誤った歯の位置決めや歯根部分の損傷は、高い正確さ及び信頼性で診断されうる。
【０００３】
使用されるＸ線技術は、実際には２つの異なるカテゴリに分けられるだろう。
【０００４】
いわゆる口腔内Ｘ線照射の場合、Ｘ線放射センシティブセンサ、すなわちＸ線フィルム或いはハウジング内に位置する半導体センサの形式のデジタルセンサのいずれかが患者の口内に持ち込まれ、Ｘ線放射が外部から検査されるべき領域に向けられる。口内に持ち込まれるセンサは、数センチの範囲の大きさを有し、主として個々の歯或いは数個の隣接する歯のＸ線画像を実現するのに使われる。
【０００５】
Ｘ線放射センサが患者の口内に配置される口腔内放射と反対に、いわゆるパノラマ照射の場合は、患者の頭はＸ線放射発生器とセンサの間に位置する。このＸ線技術の場合、患者の顎の領域が連続的に、Ｘ線放射検出器によって次に検出されるＸ線放射によって貫通されるまでの間、放射発生器と一体となったＸ線ヘッドは患者の頭の周りを動く。Ｘ線ヘッドの特殊な移動を通じて、患者の下顎と上顎の歯の概要の描写である、いわゆるパノラマ照射は実現される。こうしたパノラマ照射は特に個々の歯の誤った位置決めを認識するのに都合がよい。
【発明の開示】
【発明が解決しようとする課題】
【０００６】
口腔内照射の場合とパノラマ照射の場合の両方において、患者の被爆は体の他の部位のＸ線検査の場合の被爆に比べて、比較的僅かであるが、歯のＸ線診断では被爆をできるだけ僅かに抑える義務がある。このための重要な必須要件は、センサの誤った位置決め或いはＸ線ヘッドの誤った方向付けに起因する、誤ったＸ線照射の不必要な繰り返しを回避することである。そのため、Ｘ線ヘッドの方向や配列あるいはセンサエレメントの最適化をする特別な必要がある。
【０００７】
口腔内使用の場合、課題は、一方では検査されるべき歯の後ろの所望の位置の口内にセンサを配列することであり、他方ではセンサの中心にＸ線ヘッドを向けることである。これは、一方では、閉じた口内ではセンサは外側から認識されないので問題であり、他方ではＸ線放射はそれ自体不可視なので、歯科医あるいはＸ線照射を実行する人物が、放射が実際のところ所望の部位に向けられているのかどうか確信できないからである。パノラマ照射を実行する場合は、Ｘ線ヘッドは特定の平面内の患者の頭の周りをできる限り動かされなければならない、というＸ線照射以上の困難が生じる。この平面はＸ線ヘッドが動いている間は離されているなら、パノラマ照射の品質はこのようにはっきりと影響を受ける。
【０００８】
口腔内照射を実行する際にＸ線ヘッドの方向付けを容易にするために、機械的援助を使用することが知られている。例えば、Ｘ線フィルムやデジタルセンサのためにホルダを設定し、ホルダの一部が患者の口から突出し、口内のどの位置にセンサが位置しているかを示すことが知られている。これを通じて歯科医師には少なくとも、頭の外側のどの領域にＸ線放射が入射されるべきかが認識できる。しかし、歯科医師には、所望の部位に実際に不可視のＸ線放射が入射しているか否かを目で確かめることができないという問題がまだある。
【０００９】
そのため、本発明は歯のＸ線検査を実行するときのＸ線ヘッドの方向付けを改善する可能性を提供する目的に基づいている。
【課題を解決するための手段】
【００１０】
その目的は、請求項１の特徴を有するＸ線装置を使って達成される。
【００１１】
本発明に基づいた解決法は、照準デバイスを加えたＸ線装置を提供することにあり、当該Ｘ線装置は、検査されるべき対象（２０）に向けられるべきＸ線放射（Ｒ）を生成するためのＸ線放射源（１０）を有するＸ線装置であって、
光学デバイスであって、該光学デバイスを介して照準デバイスの光学軸が前記Ｘ線放射（Ｒ）と平行に前記検査されるべき対象（２０）に向けられる光学デバイス（１２）と、前記光学デバイスを介して前記検査されるべき対象に向けられている可視パイロット放射（Ｐ）を生成する更なる光源（１１）を含む前記照準デバイスと、前記Ｘ線放射源（１０）を含み、旋回或いは移動可能に構成されるＸ線ヘッド（２）における、前記Ｘ線放射（Ｒ）及び前記パイロット放射（Ｐ）のための出口領域であって、前記Ｘ線放射（Ｒ）及び前記パイロット放射（Ｐ）が透過可能に構成され、かつ、Ｘ線チューブの前端部を形成している出口領域（６）と、を有し、
前記透過可能なＸ線チューブの出口領域（６）は取り外し可能であり、
前記出口領域（６）の取り外しの後に、前記Ｘ線チューブ内に設置されるチューブ延長部が提供され、
前記出口領域は、延長部の取り付けの後、前記チューブ延長部の前端部に再度設置される。
【００１２】
例えばレーザー放射のような、パイロット放射の援助により、光学的情報が検査されるべき対象の外部に適用することができ、どの領域に正確にＸ線放射が入射するかが推論されうる。口腔内照射の搬出の場合は、歯科医師の残りの課題は、患者の頭の外部のどの領域にＸ線放射が投射されるべきかを決定することにあり、それ故、口の中に位置するセンサが照射される。
【００１３】
パイロット放射の援助によって発生する光学的情報は、実行されるべき検査の種類に依存した各々の場合で異なる性質を有する。口腔内Ｘ線照射の場合、投射するＸ線放射の中央を指定する情報を生成すれば十分である。この目的のために、例えば、点、円―リング状のパイロットビームの場合―、或いは十字の投影で差し支えない。円を生成するためのリング状パイロットビームの使用は、これを通して、Ｘ線ヘッドと比較して対象の軸の性質に関して推論を行うことができる、という利点を提供する。なぜなら、パイロットビームが垂直な入射でない場合、リング状のパイロットビームは楕円に変形するからである。
【００１４】
パノラマ照射が実行されるべき場合は、パイロット放射は望ましくは、水平な方向を有するラインが患者の頭の外部に投射されるように達成される。ラインの使用は、Ｘ線ヘッドが患者の頭の周りを動かされるというところにその平面は特徴付けられるので、この場合役に立つ。例えば、あらかじめ、患者の頬におけるフェイスボウの援助により咬合面がどのように展開するかが示されたなら、パイロット放射の援助によりＸ線ヘッドの回転面は咬合面に最適に合わされることができ、それに加えてパノラマ照射が最適化される。
【００１５】
さらなる可能性は、パイロット放射と平行な複数のラインを使った目盛りの作成にあり、これがＸ線ヘッドと患者の頭との間隔を決定する可能性を広げる。
【００１６】
パイロット放射、好ましくは可視領域の光を放射するレーザー、例えばＨｅＮｅレーザーやレーザーダイオード等、のための光源は、Ｘ線放射の生成のためのＸ線源を有するＸ線ヘッド内に通常配置される。Ｘ線放射に実質平行に向けられた光学デバイスのように、好ましくはＸ線放射のビームパス内に配置されたビームスプリッタが使用される。Ｘ線放射に対しては、パイロット放射とは対照的に、ビームスプリッタは反射方式で作用し、実質的には透過である（transparent）。この求められる特徴を明らかにする材料は、例えば、アルミニウムである。
【発明の効果】
【００１７】
本発明の利益的な成果によれば、パイロット放射のための光源は常時スイッチが入っているのではなく、ある状況下でのみ作動し、Ｘ線照射の実行の後には、ある時点で或いはある状況下でスイッチがオフされる。以下により詳しく説明されるように、これを通して、簡単或いは迅速な方法でＸ線装置が使える状態であるか否か、或いはフィルムが正確に露光されたか否か、或いは患者が動いたか否かを決定するための可能性が、歯科医師やＸ線照射を実行する他の人に対して提供される。
【００１８】
本発明の更なる成果は、口腔内Ｘ線照射の搬出の際に、Ｘ線ヘッドが患者の頭かその非常に近くの外部に直接配列されるという事実に関する。パイロット放射は歯科医師にとって、それが彼にとってよく観測できるときには有用であるので、少なくともＸ線チューブの先端は透過するように形成される。これを通して、歯科医師はＸ線ヘッドを患者の頭に直接配置する場合にでもＸ線放射が最終的にどの領域に入射するかを認識することができる。
【００１９】
ビームスパッタのような光学デバイスはＸ線放射の軸において光学観測系を指向させる目的のために使用される。これは、例えば、入射の場所と照射エリアの横側への拡張をよりよくモニタすることができるように、Ｘ線放射の方向から照射されるべき領域を見るためのＸ線照射の評価に有益である場合、関心がある。例えば、この目的のためにビームスプリッタの援助によりＸ線放射によって放射されたエリアに向けられたカメラや他の観察デバイスが使用される。
【発明を実施するための最良の形態】
【００２０】
以下、添付の図面を参照して、より詳細に本発明が説明される。
【００２１】
図１に示され引用符号１で一般に与えられるＸ線装置の主な構成要素は、Ｘ線光源を含むＸ線ヘッド２であり、Ｘ線ヘッドは、Ｘ線装置１の中央ユニット４と土台の枠組み３を通じて動かせるように接続されている。Ｘ線ヘッド２の土台は、できるだけ多くの自由な角度で旋回或いは移動できるように、すなわち柔軟に使用するために置かれる。この照射方法ではＸ線ヘッド２は照射の間動かないので、図示した土台は、特に口腔内Ｘ線照射からの搬出のために提供される。いわゆるパノラマ照射の場合は、反対に、Ｘ線ヘッド２は特定の軸の周りを旋回し、これは満足できる画像品質を達成するために自動的に達成されなければならない。この目的のために必要である、Ｘ線ヘッド２のガイド付きの移動のための配列は、図１には示されていない。
【００２２】
中央ユニット４は、Ｘ線ヘッド２或いはその中に配列されたＸ線放射源の制御のために必要な主な制御素子を含む。中央ユニット４は更に、これを通してＸ線検査を実行するための主なパラメータ（例えば放射時間、放射持続時間、チューブ電流（ｍＡ）、チューブ電圧（ｋＶ）等）が入力される入力装置５である。この入力を基に、中央ユニット４は枠組み３内を走るラインを通してＸ線ヘッド２内に配列されるＸ線放射源に伝達される制御信号を生成する。反応して生成されたＸ線放射はＸ線ヘッド２の前方向放射出口領域内のチューブ６を介して放出される。以下より詳細に説明するように、Ｘ線チューブ６は少なくともその前方向領域において、パイロット放射により提供される援助の使用の可能性を歯科医師に開くために、Ｘ線を透過するように形成される。例えば、Ｘ線チューブ６はプレキシガラス（登録商標）からなる。
【００２３】
図２は、一方ではＸ線放射Ｒを生成するＸ線放射源１０を有し、他方ではパイロット放射光源１１とビームスプリッタ１２からなる照準デバイスを有するＸ線ヘッド２の内部構造を概略的に示す。照準デバイスはパイロットビームＰの援助とともにＸ線放射Ｒの方向を示す。Ｘ線放射源１０とパイロット放射源１１とは共に、図１に示すＸ線装置の中央ユニットによって制御され、この目的のため枠組み３内を走る２つのライン１０ａ及び１１ａを介してこのユニットと接続される。
【００２４】
パイロット放射が歯科医師に検査されるべき対象物に向かってＸ線ヘッド２を指向させる光学的援助を提供するためであるので、パイロット放射Ｐは目に見えなければならない。好適には、このため、赤の範囲のレーザー放射が使用される。例えば、パイロット放射のための光源１１にはヘリウム−ネオン（ＨｅＮｅ）レーザー或いはレーザーダイオードが使用されうる。
【００２５】
パイロット光線Ｐの援助によりあるＸ線ヘッド２の方向付けはより簡略化され、より正確にＸ線放射Ｒとパイロット放射Ｐはお互いに一列に並べられる。好ましくは、ふたつの評者はお互いの軸の方向に向けられ、しかしながらいくらかの援助がお互いに少なくとも平行であるか、小さい角度でお互いに単にずれるかが達成される。
【００２６】
パイロット放射ＰのＸ線放射Ｒに対する同軸の整列はビームスプリッタ１２によりもたらされる。ビームスプリッタ１２はＸ放射Ｒの放射パス内に配列される。ここで重要なのはビームスプリッタ１２は、Ｘ線放射Ｒは単純に貫通できるが、反対にパイロットビームＰは反射する材料からなることである。この目的のためには、アルミニウムは望ましい特性を有するので、ビームスプリッタ１２を平らなアルミ板を使って実現することを推奨する。ビームスプリッタ１２が完全に平らである場合には、パイロット放射源１１から放出されるレーザービームＰは検査される対象物の表面に点状に投射され、この点はＸ線放射Ｒの中心を表現する。
【００２７】
Ｘ線放射パス内でのビームスプリッタ１２の応用は、それと関連する、いわゆる固有の透過特性（Eigenfilterung) に起因した、Ｘ線放射を強化するために利用することができ、その結果生じた散乱された放射は、Ｘ線ヘッドの内部に吸収されることに注意するべきである。ここでアルミニウムはどんな場合でもＸ線放射の固有の透過特性の実現のために使用されるという利点があり、それ故、鏡あるいはビームスプリッタの材料の厚さの対応する設定と共に固有の透過特性が誘発される。固有の透過特性及びそれによる装置の技術的データは不変のまま保たれる。
【００２８】
図３は、Ｘ線放射源１０、パイロットビームＰのための光源１１および図２に代わるビームスプリッタ１２の配列を示す。図２の図解とはビームスプリッタ１２はＸ線放射Ｒのパスに対して４５°の角度で配列されていないところが異なる。ビームスプリッタ１２の機能する方法に関しては、しかしながら、図２に図解の配列と違いは生じない。
【００２９】
Ｘ線ヘッドの方向付けの際の歯科医師のためのパイロット放射の使用を通して得られる援助は、図４および５を参照して以下に説明する。
【００３０】
図４は、従って口腔内Ｘ線照射のための応用の場合を示しており、Ｘ線放射を感じるセンサ１５が概略的に図示された患者の頭２０の口の中に配列される。この検査の場合、Ｘ線放射Ｒができるだけ最適にセンサ１５上に入射するようにＸ線ヘッド２を指向させる必要がある。
【００３１】
パイロット放射Ｐが、患者の頭２０のこの領域内に或いはこの位置にＸ線放射Ｒが入射されることをはっきりと示すためのマーク１６を頭２０の外側に生成するのは本発明によれば容易である。歯科医師のために、患者の頭２０の外側の、必要な位置にただ決定するだけで問題は減少した。この必要な位置は口の中に配設されたセンサを打つために必要である。この場合、少なくともＸ線ヘッド２のチューブ６の前方向の領域が透過であることが有利である。これは、Ｘ線ヘッド２が患者の頭に直接配置された場合でも、パイロットビームＰが入射した位置１６はまた認識できるからである。また、Ｘ線チューブ６がＸ線ヘッド２のハウジングについて投射する場合に、パイロット放射の援助を最適に利用することを可能とするために、Ｘ線チューブ６を透過すべく構成することが有利である。
【００３２】
更なる成果に基づき、Ｘ線チューブ６の透過する部分を取り外し可能に構成することができ、したがってチューブの延長部を取り付ける可能性がある。また、この変形の場合、少なくともチューブの前端領域は透過するように構成されて提供される。例えば、パイロットビームを使った、より効果的に援助を利用するために透過する部分は延長部の取り付けの後に前端に再び配置することができる。
【００３３】
更なるＸ線ヘッド２の方向付けの円滑化は、センサ１５のホルダが図示されていない機械的照準デバイスと組み合わされることで、センサ１５を照射するためにＸ線放射Ｒが入射しなければならない患者の頭の外側の領域をはっきりと規定する整列デバイスの援助によりセンサ１５のホルダと規定された方法で接続された事実に起因して達成される。もしこのホルダが標的のマークと共にさらに提供されるとしたら、Ｘ線ヘッド２の正しい整列は例えば、標的のマークにパイロットビームＰが入射することで示される。これを通して得られたＸ線照射の品質は、非常に改善されている。同時に、Ｘ線ヘッド２の誤った整列に起因しては照射が繰り返される必要がないことは確かである。この場合の標的のマークは、センサ或いはＸ線フィルムを参照するいわゆる「標的」であり、Ｘ線ビームの正しい位置或いは整列をモニタすることができる。
【００３４】
図５は、本発明による照準デバイスの更なる優れた実施形態を示す。この場合、いわゆるパノラマ照射が実現され、Ｘ線ヘッド２は患者の頭２０の中心軸２１の周りを旋回する。同時に、患者の頭の反対側に位置するセンサ１７が同様に規定された移動で移動、これを通して上あごと下あごの歯の概観照射が得られる。
【００３５】
この照射技術の場合の問題は、最適なイメージング結果を得るために、Ｘ線ヘッド２は患者の咬合面内をできるだけ移動するべきである、という点にある。Ｘ線放射と同軸な、患者の頭２０の外側の１つの点を生成しないが、その代わりにＸ線放射の中央軸と交差する水平方向のライン１８を生成するこのケースの場合には、本発明に基づく照準デバイスが構成されうる。ライン１８はしたがってＸ線ヘッド２の回転する面を示す。歯科医師のために、Ｘ線ヘッド２の方向を合わせる課題は、パイロット放射を使用して示されるライン１８を患者２０の咬合面に持ってくることに帰着する。しかしながら、以前に、フェイスボウの使用と共に、咬合面はどのように展開するかが患者の頬の上に示される或いはマークされることが単純な方法で達成される。この段階では、歯科医師はいわゆる「フランクフルト水平面」の展開或いは配列を決定する。Ｘ線ヘッド２は最終的には単にパイロット放射によって生成されたライン１８がマークを打つように向けられる。
【００３６】
パイロット放射の援助によりなる個々の点の代わりのラインの生成は、したがって、図２に示すビームスプリッタが平らに形成されず僅かにドーム状にするという特に単純な方法により達成されうる。これを通して、パイロットビームからの散開が成し遂げられ、所望のラインが生成される。
【００３７】
パイロットビームの援助によりなる１つの点或いはラインの投射の代わりに、しかしながら、他のマークが投影されると、患者の頭に向かってＸ線ヘッドのふさわしい方向付けを可能にする。例えば、リング状或いは十字状のＸ線放射と同軸に走るパイロットビームが生成されることができる。他の可能性は、更に、平行に走る複数のラインを投影し目盛りを提供することを含む。この目盛りはＸ線光源と患者の頭との間の感覚を決定する可能性を広げる。
【００３８】
最終的には、パイロット放射はＸ線ヘッドの方向付けの援助となるだけでなく、Ｘ線装置の捜査状況を歯科医師に示す目的に使用されることに注意すべきである。好ましくは、Ｘ線装置とデジタル画像検知装置の両方を含む完全なＸ線システムが使用可能な状態であるときには、パイロットビームはすなわち同時に活性化されない。通常は、Ｘ線放射源の活性化の前に照射システムもまた使用可能なハウジングであるか否かの簡単なチェックが歯科医師によって達成される。そうしないと患者は不必要に放射に曝されることになるからである。その対応するチェックは、発明の利益的な成果の場合においては不必要である。なぜならＸ線ヘッドの整列の際にパイロット放射の存在或いは欠如を基に、システム全体が使用可能な状態であるか否かは歯科医師にとっては明白だからである。システムの操作中に誤りを示すために、パイロット放射は、例えば、調節され、患者の顔に表れたマークが点滅する。
【００３９】
Ｘ線照射から運び出された後、パイロットビームは手動で或いは自動でスイッチを切られ、しかしながら、望ましくはいくらか超過した時間だけ活性化されたままになる。このいわゆる超過光制御は照射の後に、その間に患者が頭を動かしたか、或いはその間に患者の頭向けたＸ線ヘッドの方向が変わったか否かを歯科医師が更にチェックすることができる可能性を提供する。この超過光制御は、古典的なＸ線放射検知器、Ｘ線フィルム、を使用した場合に、特に役に立つ。なぜなら、歯科医師はフィルムの現像前に、照射が不完全か否か、手順を繰り返さなければならないか否かを決定することができるからである。
【００４０】
更に、ビームスプリッタはまた、Ｘ線ビーム軸において（図示されていない）光学観測システムを指向させるのに使用される。例えば、もし入射の場所と照射された区域の横の伸びをよりよくモニタするために、Ｘ線照射の評価中にＸ線ビームの方向から照射された区域を見るのに有益であるなら、これは興味深い。例えば、この目的のために、Ｘ線放射により照射されたエリアにビームスプリッタの援助を指向させるとともに、カメラや他の観測デバイスを使用してもよい。
【００４１】
パノラマ放射の製造のために特に有用な他の可能性は、観測デバイス或いはカメラと共に同時に、パイロットビームを散開させることとパイロット放射の入射エリアを観察することにある。患者の顔上において散開したパイロット放射のゆがみから、患者の頭の間隔と方向を決定でき、これから、Ｘ線ヘッドの移動に対する対応したプログラムパラメータが自動的に導き出される。光学的観測デバイスと共にあるパイロット放射の結合は仮想的にかつ完全に自分で走る照射手順の実現の可能性を広げる。カメラの援助により得られる情報は、更に、患者の頭の位置決めのための支持を導き出すのに使われることができる。
【００４２】
本発明により、Ｘ線装置のＸ線ヘッドの単純で信頼性のある所望の位置への方向付けを可能にする援助を得ることができる。この目的のために必要な手段は高いコストを必要とせず、照射品質の著しい増大を助長する。パイロットビームの使用は、システムが使用可能な状態にあるか否か、或いはＸ線検査の搬出の危険性を高めるシステムの欠陥があるか否かを、単純な方法でＸ線装置の使用者に示す可能性を提供する。
【図面の簡単な説明】
【００４３】
【図１】図１は発明に基づいた歯科用Ｘ線装置の全体図である。
【図２】図２はＸ線ヘッド及び放射パス内の種々の光源の概略図である。
【図３】図３はパイロット放射におけるカップリングのための可能性の代替を図解した概略図である。
【図４】図４は口腔内照射の場合のパイロット放射により提供される援助を示す図である。
【図５】図５はパノラマ照射の場合のパイロット放射により提供される援助を示す図である。
【図１】
0004732332.tif 000002
【図２】
0004732332.tif 000003
【図３】
0004732332.tif 000004
【図４】
0004732332.tif 000005
【図５】
0004732332.tif 000006